(57)【要約】【課題】  上方へ積み上げることが出来るように構成した小物類を収容する為の樹脂製の収納ボックスであって、内部が空の場合と内部に小物類が収容されている場合との２通りの積み上げが可能な樹脂製収納ボックスの提供。【解決手段】  四角形の底部各辺から僅かに傾斜して起立する側壁部２ａ，２ｂ，３ａ，３ｂを有し、各側壁部の上端には概略Ｌ形に屈曲した縁４ａ，４ｂ，５ａ，５ｂを形成し、そして対向する側壁部３ａ，３ｂの内側には縁から底部にかけて２本の凹溝７ａ，７ａ，７ｂ，７ｂを設けると共に側壁部３ａ，３ｂの外側には凸部６ａ，６ａ，６ｂ，６ｂを形成し、凸部底には下方へ延びる突片９ａ，９ａ，９ｂ，９ｂを設けて上記凹溝間距離及び凸部間距離は互いに違わせ、又上記縁には凹溝の隣に係合溝８ａ、８ａ、８ｂ、８ｂを形成し、該係合溝の間の距離を対向する凹溝間距離としている。【選択図】    図１
0003124899.tif 000002
【実用新案登録請求の範囲】
【請求項１】
上方へ積み上げることが出来るように構成した小物類を収容する為の樹脂製の収納ボックスにおいて、四角形の底部各辺から僅かに傾斜して起立する側壁部を有し、各側壁部の上端には概略Ｌ形に屈曲した縁を形成し、そして対向する側壁部の内側には縁から底部にかけて２本の凹溝を設けると共に側壁部の外側には凸部を形成し、又凸部底には下方へ延びる突片を設け、上記縁には凹溝の隣に係合溝を形成し、上記凹溝には上方の収納ボックスの側壁部に設けた凸部が嵌り、上方の収納ボックスの向きを変えることで凸部底が下方の収納ボックスの縁に載置されると共に凸部底に形成した突片が係合溝に係合可能としたことを特徴とする積み上げ可能な樹脂製収納ボックス。
【請求項２】
上方へ積み上げることが出来るように構成した小物類を収容する為の樹脂製の収納ボックスにおいて、四角形の底部各辺から僅かに傾斜して起立する側壁部を有し、各側壁部の上端には概略Ｌ形に屈曲した縁を形成し、そして対向する側壁部の内側には縁から底部にかけて２本の凹溝を設けると共に側壁部の外側には凸部を形成し、凸部底には下方へ延びる突片を設けて上記凹溝間距離及び凸部間距離は互いに違わせ、又上記縁には凹溝の隣に係合溝を形成し、該係合溝の間の距離を対向する凹溝間距離としたことを特徴とする積み上げ可能な樹脂製収納ボックス。
【請求項３】
上記縁から下方へ延びるリブを形成した請求項１、又は請求項２記載の積み上げ可能な樹脂製収納ボックス。
【考案の詳細な説明】
【技術分野】
【０００１】
本考案は物を収容することが出来るボックスであって、物が収容されている複数のボックスを上方に載せて積み上げることが出来、しかも空の状態では互いに嵌合して積重ねることが可能な樹脂製ボックスに関するものである。
【背景技術】
【０００２】
色々な小物をボックスに収容するケースは多く、例えば生産工場では加工した部品をボックスに入れて次の工程へ送られる。又、加工中の部品ではなく、完成した製品をボックスに収容して搬送・出荷する場合も多い。ボックスの部品などを収容した状態で上方に積重ねることで狭い空間に納めることが出来る、同時にボックスが空に成った状態では単に積重ねるだけでは不便である。
【０００３】
特開２００３−３１２６５５号に係る「折りたたみ収納ボックス」は、四角形の箱形であって、積重ねと折りたたんで重ね置きができるとともに、吊下げができる折りたたみ収納ボックスである。そこで、四角形底板の四隅に立設した脚柱の外側面に、上部に孔部を設けた長方形板を同高に固設し、下端部に他の収納ボックスの長方形板の上部に外嵌する接地体を水平に固着し、底板と接地面の間を荷役装置のフオークが差込めるものにする。底板の前後、左右に順次底板上に倒伏可能に正面板、後面板、左側板および右側板を連結し、これらの上端部と中間部を相互に解除自在に結合し、左右側板の上端部に吊環を設ける。正面板を上下に二分し、下部に対し上部が固定および前方折曲げ可能に連結する。左右側板と正面板および後面板との上部コーナ部に、コーナブレースを設けている。
【０００４】
このように、空になった収納ボックスをコンパクトに折畳んで片付けることが出来る為に収納ボックスの保管に大きなスペースが不要となり、この点は便利である。しかし、該収納ボックスを折畳んで重ね置きすることは余分な作業が必要となり、面倒である。又、収納ボックスは折畳み出来る構造である為に、その強度並びに剛性が低下し、重い部品や製品を収容することに制約される。
【特許文献１】特開２００３−３１２６５５号に係る「折りたたみ収納ボックス」
【考案の開示】
【考案が解決しようとする課題】
【０００５】
このように従来の積重ね式収納ボックスには上記のごとき問題がある。本考案が解決しようとする課題はこの問題点であって、内部に物が収納されている時には上方へ積み上げることが出来、しかも空になった場合には互いに嵌合し合って組み重ねることが出来る樹脂製の収納ボックスを提供する。
【課題を解決するための手段】
【０００６】
本考案に係る収納ボックスは樹脂製であって、四角形の底部と四方に起立する側壁部を有し、上部を開口した形状と成っている。そして、側壁部の上端には縁部を形成している。対向する側壁部には内側面に２本の凹溝を縁から底部にかけて上下方向に形成し、外側面には２本の凸部が形成されるが、上記凹溝及び凸部の間隔は互いに違っている。すなわち、一方の側壁部の凹溝及び凸部間距離は大きく、他方の側壁部に形成される凹溝及び凸部間距離は小さくなっている。
【０００７】
そして、凸部の底には突片が設けられ、側壁部の上端に設けている縁には係合溝が２箇所に形成されている。この係合溝の間隔は凹溝及び凸部間距離となっているが、間隔の大きな凹溝及び凸部を設けた側壁部側には間隔を小さくした係合溝を設け、逆に間隔の小さな凹溝及び凸部を設けた側壁部側には間隔を大きくした係合溝を設けている。従って、側壁部に設けている凹溝及び凸部の間隔を一致させた場合には、互いに嵌合して積重ねることが出来、側壁部に設けている凹溝及び凸部の間隔を違わせた場合には収納ボックスを上方へ積み上げることが出来る。
【考案の効果】
【０００８】
本考案に係る収納ボックスは、内部に小物部品や製品を収容している場合には、上端に設けている縁に上方の収納ボックスの凸部底が載置されることで上方へ積み上げることが出来る。そして、凸部底の突片が縁に形成した係合溝に嵌ることで積み上げた上方の収納ボックスは位置ズレすることはない。一方、収納ボックスが空になっている場合には、互いに嵌合して積重ねられることで、コンパクトな空間に片付けることが出来る。そして、側壁部の縁から下方へ延びるリブを設けることで、積重ねた上方の収納ボックスは下方の収納ボックスの縁との間に空間が形成される為に、上方の収納ボックスを取外しやすくなる。
【実施例】
【０００９】
図１は本考案に係る収納ボックスを示す実施例であり、(ａ)は平面図、(ｂ)は底面図を表している。該収納ボックスは長方形の底部１の四方に側壁部２ａ，２ｂ、及び側壁部３ａ，３ｂを僅かに傾斜して起立し、側壁部２ａ，２ｂの上端には縁４ａ，４ｂが形成され、側壁部３ａ，３ｂの上端には縁５ａ，５ｂが形成されている。
【００１０】
縁４ａ，４ｂ，５ａ，５ｂは互いに繋がっていて長方形の枠体を形成し、その縦断面は各側壁部２ａ，２ｂ，３ａ，３ｂから連続してＬ形を成している。図２は収納ケースの各側面を表しており、(ａ)は左側面図、(ｂ)は右側面図、(ｃ)は正面図である。(ａ)に示す左側壁部３ａには２本の凸部６ａ，６ａが設けられ、(ｂ)に示す右側壁部３ｂには２本の凸部６ｂ，６ｂが設けられている。
【００１１】
そして、左側壁部３ａに設けている２本の凸部６ａ，６ａ間距離Ｌは、右側壁部３ｂに設けている２本の凸部６ｂ，６ｂ間距離Ｍより大きくなっている。これら凸部６ａ，６ａ，６ｂ，６ｂは側壁部３ａ，３ｂを成形したものであり、凸部６ａ，６ａ，６ｂ，６ｂは側壁部３ａ，３ｂの外側に形成されるが、側壁部３ａ，３ｂの内側には凹溝７ａ，７ａ，７ｂ，７ｂを形成している。
【００１２】
凹溝７ａ，７ａは凸部６ａ，６ａと対をなし、凹溝７ｂ，７ｂは凸部６ｂ，６ｂと対を成している。従って、凹溝７ａ，７ａ間の距離はＬであり、凹溝７ｂ，７ｂ間の距離はＭとなっている。そして、これら凸部６ａ，６ａ，６ｂ，６ｂは下側が細くなるように傾斜し、同じく凹溝７ａ，７ａ，７ｂ，７ｂも下側が細くなるように傾斜している。
【００１３】
又、縁５ａには係合溝８ａ，８ａが形成され、縁５ｂには係合溝８ｂ，８ｂが形成されている。ここで、係合溝８ａ，８ａ間の距離をＭとし、係合溝８ｂ，８ｂ間の距離はＬとしている。そして、上記凸部６ａ，６ａの底には突片９ａ，９ａを下方へ延ばし、凸部６ｂ，６ｂの底には突片９ｂ，９ｂを下方へ延ばしている。さらに、側壁部２ａ，２ｂには縁４ａ，４ｂから下方へ延びるリブ１０ａ，１０ａ，１０ａ・・が形成されている。
【００１４】
このように構成した本考案の収納ボックスは底部１と側壁部２ａ，２ｂ，３ａ，３ｂにて囲まれた内部空間に小物類を収容することが出来、しかも収容した状態の収納ボックスを上方へ積み上げることが出来る。図３は２個の収納ボックスを積み上げた場合を示しており、内部には小物類が収容されているが、上方の収納ボックスにて小物類が潰されることはない。
【００１５】
本考案の収納ボックスの側壁部３ａには凸部６ａ，６ａが外側へ突出していて、この凸部底面が下方に位置する収納ボックスの縁５ｂに載置される。この場合、凸部６ａ，６ａが凹溝７ｂ，７ｂに嵌入しないように上下収納ボックスの向きを反対にして積み上げている。すなわち、下方の収納ボックスの向きが前記図１に示すように側壁部３ａを左側に、側壁部３ｂを右側に向けて位置させた場合、上方の収納ボックスは側壁部３ｂを左側に、側壁部３ａを右側に向けて配置される。
【００１６】
凸部６ａ，６ａ、及び凹溝７ａ，７ａ間の距離Ｌは，凸部６ｂ，６ｂ、及び凹溝７ｂ，７ｂ間の距離Ｍより大きくなっている為に、互いに向きを反対にして積み上げるならば下方の収納ボックスの凹溝７ａ，７ａに上方の収納ボックスの凸部６ｂ，６ｂが嵌ることはなく、同じく下方の収納ボックスの凹溝７ｂ，７ｂに上方の収納ボックスの凸部６ａ，６ａが嵌ることはない。
【００１７】
図４は図３のＡ部拡大図を示しているが、凸部６ｂの底面は縁５ａに載置され、しかも凸部底には下方へ延びている突片９ｂが縁５ａに形成した係合溝８ａに係合している。従って、上方に積み上げられた収納ボックスは位置ズレすることはない。係合溝８ａ，８ａの間隔は凹溝７ａ，７ａの間隔と逆になっている。すなわち、凹溝７ａ，７ａ間距離がＬとなる側壁部３ａの縁に形成される係合溝８ａ，８ａの間隔はＭとなり、凸部底に設けた突片９ｂ，９ｂが該係合溝８ａ，８ａに係合することが出来る。同じく凹溝７ｂ，７ｂ間距離がＭとなる側壁部３ｂの縁に形成される係合溝８ｂ，８ｂの間隔はＬとなり、凸部６ａ，６ａの底に設けている突片９ａ，９ａは係合溝８ｂ，８ｂに係合することが出来る。
【００１８】
図５は空になった収納ボックスを互いに嵌合して積重ねた場合である。すなわち、下方の収納ボックスに上方の収納ボックスの下側部分が嵌合している。側壁部に設けたリブ１０ａ，１０ａ・・の下端は下方の収納ボックスの縁４ａに当って支えられている。この場合、側壁部に形成した凹溝に上方の収納ボックスの凸部が嵌入することで互いに積み重ねることが出来る。すなわち、間隔の大きな凹溝７ａ，７ａと間隔の大きい凸部６ａ，６ａとが一致し、間隔の小さい凹溝７ｂ，７ｂと間隔の小さい凸部６ｂ，６ｂとが一致するように、収納ボックスの向きが定められる。
【００１９】
このように、本考案に係る収納ボックスは２通りの積み重ねを行うことが出来る。すなわち、小物類を収納している場合と内部が空に成っている場合とで積み重ね方を変えることが可能である。
【図面の簡単な説明】
【００２０】
【図１】本考案の収納ボックスで、(ａ)は平面図、(ｂ)は底面図。
【図２】本考案の収納ボックスで、(ａ)は左側面図、(ｂ)右側面図、(ｃ)正面図。
【図３】内部に小物類を収容している場合の収納ボックスを積み上げた場合。
【図４】図３のＡ部拡大図。
【図５】内部が空の状態の収納ボックスを積重ねた場合。
【符号の説明】
【００２１】
１  底部
２  側壁部
３  側壁部
４  縁
５  縁
６  凸部
７  凹溝
８  係合溝
９  突片
10  リブ
【図１】
0003124899.tif 000003
【図２】
0003124899.tif 000004
【図３】
0003124899.tif 000005
【図４】
0003124899.tif 000006
【図５】
0003124899.tif 000007